(57)【要約】    本発明は、男性、女性、および若者用の、そして場合により軽度失禁症状のある人のための防御パネルを含んでなっていてもよい、柔らかな感触の、見た目に美しく、そしてぴったり身体に合う使い捨て不織下着に関する。本発明の目的は、三次元的に像形成された不織布の下着を形成することにより快適な耐久性のある使い捨て下着を提供することである。本発明は、一般大衆の要望そして従来の下着の日常的な手入れが不便であったりまたは利用できなかったりする具体的には例えば旅行者、運動選手、医療関係者および患者の如き個別集団の要望に合致することができる各種の耐久性のある使い捨て下着を開示している。
2005509098.tif 000002
【特許請求の範囲】
【請求項１】
ａ．前躯体不織ウエブを準備し、
ｂ．有孔表面を準備し、
ｃ．該前躯体ウエブを該有孔表面上で水力で絡み合わせて、パターン化され且つ像形成された不織布を形成し、
ｄ．該パターン化され且つ像形成された不織布を、前パネル、後ろパネル、および股領域に形成し、そして
ｅ．該前パネル、後ろパネル、および股領域を継ぎ目で結合させて使い捨て下着を製造する
ことを含んでなる使い捨て不織下着の製作方法。
【請求項２】
該前躯体ウエブが合成および天然繊維の繊維質配合物である、請求項１に記載の使い捨て不織下着の製作方法。
【請求項３】
該合成繊維が熱硬化性重合体、例えばポリアクリレート類、或いはポリアミド類、ポリエステル類、またはポリオレフィン類、例えばポリプロピレンもしくはポリエチレン、を包含する熱可塑性重合体、それらの誘導体、並びにそれらの組み合わせから選択される、請求項２に記載の使い捨て不織下着の製作方法。
【請求項４】
該合成繊維がポリエステルである、請求項３に記載の使い捨て不織下着の製作方法。
【請求項５】
該天然繊維が、性質がセルロース系のもの、例えば木綿、木材パルプ、またはレーヨン、である、請求項２に記載の使い捨て不織下着の製作方法。
【請求項６】
該天然繊維がレーヨンである、請求項５に記載の使い捨て不織下着の製作方法。
【請求項７】
該有孔表面が三次元影像伝達装置である、請求項１に記載の使い捨て不織下着の製作方法。
【請求項８】
該使い捨て不織下着にパターンまたは三次元像、例えば突出部、渦巻きなど、を三次元影像伝達装置により付与する、請求項１に記載の使い捨て不織下着の製作方法。
【請求項９】
該形成された使い捨て不織下着がパターン化されたかまたは像形成された不織布ピースから構成される、請求項１に記載の使い捨て不織下着の製作方法。
【請求項１０】
該パターン化されたかまたは像形成された不織布ピースが熱結合、機械的縫製、または接着剤結合により接合される、請求項７に記載の使い捨て不織下着の製作方法。
【請求項１１】
該ピースが機械的に縫製されている、請求項８に記載の使い捨て不織下着の製作方法。
【請求項１２】
該下着が日常用、旅行者用、または運動選手用である、請求項１に記載の使い捨て不織下着の製作方法。
【請求項１３】
該下着が軽度失禁目的のための水分吸収パネルを含んでなる、請求項１に記載の使い捨て不織下着の製作方法。
【請求項１４】
該形成された使い捨て不織下着ピースが伸縮性のある裏打ちされた足開口部およびウエスト開口部を含んでなる、請求項７に記載の使い捨て不織下着の製作方法。
【請求項１５】
該前パネルおよび該後ろパネルが該股領域と一体的に形成される、請求項１に記載の使い捨て不織下着の製作方法。
【請求項１６】
該前パネルおよび該後ろパネルが別個に形成されそして互いにその側面継ぎ目および該股領域では底の継ぎ目で接合される、請求項１に記載の使い捨て不織下着の製作方法。
【請求項１７】
前パネル、後ろパネル、および相互連結股領域を含んでなる有孔表面上で水力で絡み合わされた使い捨て不織下着であって、ここで該前パネル、後ろパネル、および相互連結股領域がそれらの横方向端部で一緒に機械的に固定されて上部ウエストおよび下部足領域を形成している下着。
【請求項１８】
該上部ウエストおよび下部領域が伸縮性部分を含んでなる、請求項１７に記載の使い捨て不織下着。
【請求項１９】
吸収機構をさらに含んでなる、請求項１７に記載の使い捨て不織下着。
【請求項２０】
該上部ウエストおよび下部領域が伸縮性部分を含んでなる、請求項１９に記載の使い捨て不織下着。
【請求項２１】
単一の砂時計型構造を含んでなる有孔表面上で水力で絡み合わされた使い捨て不織下着であって、ここで前パネルおよび後ろパネルが相互連結股領域と一体的に接合されそしてそれらの横方向端部で一緒に機械的に固定されて上部ウエストおよび下部足領域を形成する下着。
【請求項２２】
該上部ウエストおよび下部領域が伸縮性部分を含んでなる、請求項２１に記載の使い捨て不織下着。
【請求項２３】
吸収機構をさらに含んでなる、請求項２１に記載の使い捨て不織下着。
【請求項２４】
該上部ウエストおよび下部領域が伸縮性部分を含んでなる、請求項２３に記載の使い捨て不織下着。
【発明の詳細な説明】
【技術分野】
【０００１】
本発明は、男性、女性、および若者用の、そして場合により軽度失禁症状のある人のための防御パネルを含んでなっていてもよい、柔らかな感触の、見た目に美しく、そしてぴったり身体に合う使い捨て不織下着に関する。
【背景技術】
【０００２】
下着は、皮膚と直接接触する衣服である。それらは普通は衣服の外側の下に装着されそして一般的に公衆から見えない。下着は種々の構成材料、例えば日常着用のための基礎的な織物木綿肌着およびパンツ、液体排泄物を吸収しそして保持するために使用される吸収性使い捨て下着、例えばおむつおよび失禁用品、並びに特殊な下着、例えば旅行服、医療服、および運動服を包括する。
【０００３】
使い捨て下着は使用の簡便性のために広く受け入れられているが、そのような下着はしばしば扱いにくく、不快であり、音がし、そして美的に魅力がない。先行技術は、失禁目的、旅行の簡便性、女性用品、および医療服用の使い捨て下着を開示している。
【０００４】
グラウグ（Ｇｌａｕｇ）の特許文献１は吸収性失禁製品を開示しており、それによると吸収性失禁製品は複数の固定テープを含んでなる布のような、通気性がある使い捨てブリーフである（特許文献１参照）。
【０００５】
非特許文献１は、吸収および汚染特性を改良するため並びに例えば失禁用品の如き衣服に関する快適性を改良するために裏打ち部品として通気性のある微孔性フィルムを利用する吸収性使い捨て下着を開示している（非特許文献１参照）。
【０００６】
メイセルズ（Ｍｅｉｓｅｌｓ）の特許文献２は、旅行中の使用のための使い捨て下着の三種の製品を開示している（特許文献２参照）。この肌着、男性用パンツ、および女性用パンツはこれらの下着の使用時に必要な装着時間量を最少にしかつ除去時の下着の破れを防止するために磁気ファスナーを含有する。
【０００７】
グリーン（Ｇｒｅｅｎｅ）の特許文献３は、旅行者による使用を意図する不織セルロース紙または紙類似材料から製造された耐久性のある使い捨て下着を開示している（特許文献３参照）。この使い捨て下着は下着の廃棄時に使用される小袋を含んでいる。
【０００８】
ラジャラ（Ｒａｊａｌ）他の特許文献４は、衛生ナプキンが漏れた場合に女性に救済防御を与える使い捨て下着を開示している（特許文献４参照）。
【０００９】
ムラカミ（Ｍｕｒａｋａｍｉ）他の特許文献５は紡糸結合された不織布から構成される使い捨てのアトランク−タイプ（Ａｔｒｕｎｋ−ｔｙｐｅ）＠下着を開示しており、それによるとトランクスは例えば医師や看護士の如き医療チーム員並びに患者による使用が意図される（特許文献５参照）。
【００１０】
先行技術には、日常使用に適する耐久性のある、使い捨ての不織下着はない。使い捨て下着の大多数はおむつおよび失禁用品に向けられており、すなわち日常使用に必要な快適さを与えられていない。さらに、軽度失禁症状に罹っている人にとっても、使用に適する利用可能な唯一の下着はおむつ類似構造のものであり、それは美的魅力を示さない。さらに、利用可能な失禁用品は大量の液体に耐えるように設計されており、そのことが従来のおむつ類似失禁用品を非常にわずらわしいものにする。これまでに挙げられた使い捨て下着は音がしたりまたは不快なファスナーを含有する。
【特許文献１】米国特許第６，３０７，１２０号明細書
【特許文献２】米国特許第５，１０３，５０１号明細書
【特許文献３】米国特許第４，６７４，１３５号明細書
【特許文献４】米国特許第６，２６０，２１１号明細書
【特許文献５】米国特許第６，２８９，５１９号明細書
【非特許文献１】フェル（Ｆｅｌｌ）他著、Ｈ１，９６９
【発明の開示】
【発明が解決しようとする課題】
【００１１】
本発明の目的は、着用者に対して安心させる快適さを与える柔らかな感触の、見た目に美しく、且つぴったり身体に合う使い捨て下着を提供することである。本発明は耐久性があり且つ日常使用を意図するだけでなく、使い捨ての運動用、旅行用、または医療用下着においても有用であり、そしてそのように構成される場合には軽度失禁症状用の使い捨て下着としても有用である。
【課題を解決するための手段】
【００１２】
本発明は、男性、女性、および若者用の、そして場合により軽度失禁症状のある人間のための防御パネルを含んでなっていてもよい、柔らかな感触の、見た目に美しく、そしてぴったり身体に合う使い捨て不織下着に関する。
【００１３】
最近入手可能なほとんどの使い捨て下着は不恰好であったり、音がしたり、または不快なファスナーを含んでいたりする。本発明の目的は、三次元的に像形成された不織布の下着を形成することにより快適な耐久性のある使い捨て下着を提供することである。
【００１４】
不織布は天然もしくは合成繊維またはそれらの組み合わせから構成されることができ、それらは当業者に一般的に知られている手段によりウエブまたはバットに形成されそして次に結合または組み合わされる。
【００１５】
ぴったり身体に合うおしゃれな使い捨て下着を与えるために適切な手触り、ドレープ性、および三次元像またはパターンを示すように、不織布を処理することができる。本発明は、一般大衆の要望そして従来の下着の日常的な手入れが不便であったりまたは利用できなかったりする具体的には例えば旅行者、運動選手、医療関係者および患者の如き個別集団の要望に合致することができる各種の耐久性のある使い捨て下着を開示している。
【００１６】
限定された尿汚染に適する用品を必要とする経度失禁症状のある人も、本発明に従い製造される下着から利益を受けうる。現在入手可能な失禁下着はかさばり、そして普通はおむつの構造に似ている。本発明の軽度失禁症状用の使い捨て不織下着はこぎれいであり、ぴったり身体に合い、そして水分処理パネルが装備されている。さらに、この下着はおしゃれであり且つ快適である。
発明の詳細な記述
本発明は種々の形態での態様が可能であるが、以下に本発明のここで好ましい態様が記載され、この開示は発明の例示と考えるべきであり、そして示された具体的態様に発明を限定するものではない。
【００１７】
本発明の不織布は、天然繊維、合成繊維、または天然および合成繊維の組み合わせから形成される。繊維は有限のステープル長さを有することができ、連続的フィラメントおよびそれらの配合物でありうる。合成繊維は、熱硬化性重合体、例えばポリアクリレート類、或いはポリアミド類、ポリエステル類、またはポリオレフィン類、例えばポリプロピレンもしくはポリエチレン、を包含する熱可塑性重合体、それらの誘導体、並びにそれらの組み合わせから選択することができる。本発明の合成繊維は、多成分配置を有するいかなる繊維、例えば並行または殻−芯、並びに幾何学的変種、をも包含しうる。本発明の天然繊維は、性質がセルロース系のもの、例えば木綿、木材パルプ、またはレーヨン、である。
【００１８】
本発明に従い使用される不織布は耐久性がなければならず且つ日常活動に関連する持続的な身体運動の負荷に耐えうるものでなければならない。布が身体の曲線に適合するように布は適当なドレープおよび手触りも有していなければならない。さらに、布は必要に応じて水分を吸収しそして撥水するために親水性および疎水性部位を有していなければならない。
【００１９】
図１を参照すると、不織布を形成させるための本発明の方法を行なうための装置がそこに示されている。布は繊維質マトリックスから形成され、それは経済的な製作を促進しながら所望する不織布が得られるように選択される繊維を含んでなる。繊維質マトリックスは好ましくはカード機にかけられそして引き続き空気で無作為化されてＰと表示される前躯体ウエブを形成する。
【００２０】
図１は本発明に従う不織布を形成させるための水力絡み合わせ装置を示す。この装置は平床絡み合わせ器１２の形態の有孔形成表面を含み、それに関して前躯体ウエブＰが予備絡み合いのために置かれる。前躯体ウエブＰを次に絡み合わせ多岐管１４の下に順次送り、それにより前躯体ウエブが高圧水噴射１６にかけられる。この工程は当業者に既知でありそして一般的にはエバンス（Ｅｖａｎｓ）に対する米国特許第３，４８５，７０６号明細書により教示されており、それは引用することにより本発明の内容となる。
【００２１】
図１の絡み合わせ装置は、この時点では絡み合っている前躯体ウエブの像形成およびパターン化を行なうための三次元影像伝達装置を含んでなる像形成およびパターン化ドラム１８をさらに含む。予備絡み合わせ後に、前躯体ウエブは案内ローラー２０の上に移行しそして影像伝達装置１８に向けられ、そこで三次元像が布に装置の有孔形成表面上で付与される。繊維のウエブは影像伝達装置１８に並置され、そして多岐管２２からの高圧水が影像伝達装置１８から放射状に外側に離れている噴射から外側に向いた表面に対して向けられる。影像伝達装置１８および多岐管２２は、共に譲渡された米国特許第４，０９８，７６４号明細書、米国特許第５，２４４，７１１号明細書、米国特許第５，８２２，８２３号明細書、および米国特許第５，８２７，５９７号明細書の教示に従い、形成しそして操作することができ、それらの開示事項は引用することにより本発明の内容となる。前躯体ウエブＰが以下でさらに記載されるように流体処理を行なうのに適する三次元像を与えて使い捨て吸収製品中でのこの不織布の使用を促進することがここでは好ましい。絡み合わされた布は２４で真空脱水されそして乾燥缶２６上で高温で乾燥される。
【００２２】
本発明の不織布は、限定された尿汚染に適する補助部品、例えばスクリムおよび／または吸収機構、を下着中へ導入するように、複合体、積層、単層または多層でありうる。不織布は、突出部または渦巻きなどがあるように像形成することができ、開口部を形成することもでき、またはその後の染色、および捺染により、もしくは製作段階中の着色繊維の使用により、見た目を変えて所望する不織布使い捨て下着の感じを得ることができる。不織布は１平方ヤード当たり１．５−５．５オンスの好ましい坪量範囲を有し、１平方ヤード当たり２．０−３．０オンスの範囲が最も好ましい。
【００２３】
使い捨て不織下着は皮膚の健康および衛生上の利点を有する。使い捨て下着で使用される不織布の通気性および水分吸収特性が皮膚に対して快適な環境を与える。不織布は皮膚が酸素化されそして乾燥を保つのを助け、このことは活発な生活スタイルの人にとって有利である。
【００２４】
典型的には不織使い捨て下着は典型的にはアブリーフ（Ａｂｒｉｅｆ）＠デザインのものであり、ここで下着は性別および最終使用用途によって特定される。本発明のブリーフは、種々の体型に適合させるために、種々のサイズ、すなわち、小、中、大など、に設定される。一般に、下着は好ましくは継ぎ目のところで熱的に結合されるか、機械的に縫製されるか、または接着剤で結合される１つもしくはそれ以上のピースから構成される。各々の下着は下着の上部にあるウエスト開口部および下着の下部にある一対の足開口部を含んでなる。下着は場合によりウエストおよび足開口部の周囲に伸縮性部分を含有することができる。
【００２５】
一つの態様では、使い捨て下着は前パネルおよび後ろパネルを相互連結股領域と共に含んでなり、ここで該前、後ろパネル、および相互連結股領域はそれらの横方向端部で一緒に機械的に固定される（すなわち、前および後ろパネルは互いに反対側の継ぎ目で結合され、そして各パネルの股領域が底継ぎ目で接合される）。或いは、下着は構造的に一体性であってもよく、一般に砂時計型を有していてもよく、前および後ろパネルが相互連結股領域と一体的に接合されてもよい。下着は、前および後ろパネルを互いに反対側の継ぎ目で接合することにより、形成される。不織下着は２つの伸縮性のある足開口部および伸縮性のあるウエストを含有する。像形成された不織下着は５０％のポリエステルおよび５０％のレーヨンからなり、それにより不織布は層構造を有し、ここで柔らかな親水性レーヨン布層は皮膚に向かい合う下着内部にあるが、疎水性のポリエステル布は下着の表面を構成する。この態様の使い捨て下着は水分処理用の別個のセルロース系防御パネルも含有する。
【００２６】
医療関係者および患者、男性および女性運動選手、旅行者並びに軽度失禁症状のある人に対して快適であるが耐久性のある不織使い捨て下着を提供することは本発明の範囲内である。それぞれの使い捨て下着はこれらの人々の要望に応じて注文製作されるが、これらの全ては共通して、使い捨て下着で現在得られない柔らかな感触の見た目に美しいぴったり身体に合う性質を有する。
【図面の簡単な説明】
【００２７】
【図１】図１は本発明に従う不織布の製作用装置の描写である。
【図２】図２は本発明に従う男性用ブリーフスタイルの使い捨て下着の透視図である。
【図３】図３は本発明に従う男性用ビキニスタイルの使い捨て下着の透視図である。
【図４】図４は本発明に従う女性用ブリーフスタイルの使い捨て下着の透視図である。
【図５】図５は本発明に従う女性用ビキニスタイルの使い捨て下着の透視図である。
【図６】図６は本発明に従う男性用スポーツブリーフスタイルの使い捨て下着の透視図である。
【図７】図７は本発明に従う男性用スポーツブリーフスタイルの使い捨て下着の透視図である。
【図１】
2005509098.tif 000003
【図２】
2005509098.tif 000004
【図３】
2005509098.tif 000005
【図４】
2005509098.tif 000006
【図５】
2005509098.tif 000007
【図６】
2005509098.tif 000008
【図７】
2005509098.tif 000009
【国際調査報告】
2005509098.tif 000010